(57)【要約】【課題】高所作業の安全のため手すりを付けた脚立があるが、使わない時は短く収納してコンパクトにしておきたい。手すりを平行支柱に沿って伸縮できるようにした脚立はあるが、踏み桟を狭くしてしまう。傾斜支柱に沿って伸縮収納できるようにしたものも出ているが、手すりの支柱を左右同じ長さにするようにバランスを取って伸縮しないと引っかかってうまく伸縮できない。ワンタッチで伸縮できるようなものが出ていない。【解決手段】傾斜支柱側の伸縮とハンドル軸側の長さを伸縮できる構造だけではハンドルを持って傾斜支柱を一挙に伸縮することはできなかった。本発明は角パイプ等の簡易な構造材料を組み合わせて伸縮手すりを構成し、直線部の伸縮に加えて接続角度固定金具を備えることでハンドルを持っての操作で傾斜支柱２軸を一挙に伸縮できるようにしたものである。【選択図】図１
2019090200.tif 000002
【特許請求の範囲】
【請求項１】
高くなるほど狭くなる傾斜した脚立脚を有する脚立において、脚立脚に沿って固定取付された傾斜支柱支持枠内を上下動する手すり部材を備え、該手すり部材は該傾斜支柱支持枠内を上下動する傾斜支柱と該傾斜支柱上端部を連結するハンドル部とから構成されており、該ハンドル部は傾斜支柱上端に接続されるハンドル支柱と両端から延びたハンドル支柱を浮動ハンドルを挿入して繋いだ構造を有しており、前記手すり部の上下動に伴って傾斜支柱の上端間距離が変わることに対して、前記ハンドル部は間隔を伸縮する機構が設けられるとともに、手すり部材の傾斜支柱はその水平面との成す傾斜角度と傾斜支柱とハンドル支柱の成す角度が捕角の関係となるよう角度固定金具で固定した脚立用伸縮手すり。
【請求項２】
前記ハンドル伸縮機構において、前記手すり部材の上下動により距離が変動する左右のハンドル支柱間に挿入された浮動ハンドルにおいて、浮動ハンドル内側中央にセンターピンを設け、バネの一端をこれに掛けて他端を左側ハンドル支柱に掛け、同様にもう一つのバネを浮動ハンドル内側中央から右側ハンドル支柱に掛けることにより、左右のハンドル支柱を左右均等な力で引くことにより、該浮動ハンドルが左右ハンドル支柱の中央に位置する特徴を備えた請求項１記載の脚立用手すり。
【請求項３】
前記ハンドル伸縮機構において、前記手すり部材の上下動により距離が変動する左右のハンドル支柱間に挿入された浮動ハンドルであって、浮動ハンドル内側にスペーサーを介して固定されその上に伸びた支持金具の両端に固定した滑車を設けてワイヤーを一周の長円にして掛ける。この長円状ワイヤーの対角線上にある２点を選び、その１点に左からのハンドル支柱を連結し、他の１点に右からのハンドル支柱を連結する。支柱間距離が伸縮した時、ワイヤー動作の制約を受けて基準点からの変位量が左右同じ長さになるように動くため、浮動ハンドルが常に中央に位置するようにしたことを特徴とする請求項１記載の脚立用手すり。
【発明の詳細な説明】
【技術分野】
【０００１】
この発明は、一定角度で傾斜した脚立の支柱に沿って収納できる伸縮する手すりに関する。
【背景技術】
【０００２】
高所作業の安全のため手すりを付けた脚立があるが、使わない時は短く収納してコンパクトにしておきたい。手すりを平行支柱に沿って伸縮できるようにした脚立はあるが、踏み桟を狭くしてしまう。傾斜支柱に沿って伸縮収納できるようにしたものも出ているが、手すりの支柱を左右同じ長さにするようにバランスを取って伸縮しないと引っかかってうまく伸縮できない。ワンタッチで伸縮できるようなものが出ていない。
【先行技術文献】
【特許文献】
【０００３】
【特許文献１】特開２０１２−１２２２７９号公報
【特許文献２】特開２０００−１６０９７４号公報
【発明の概要】
【発明が解決しようとする課題】
【０００４】
一般的に脚立の支柱は下部を広く取り、上部に上がるほど狭くして安定を計るものである。手すりを使わない時はこの傾斜支柱に沿って収納しておき、使用時に一挙に伸ばして固定して使いたい。傾斜支柱に収納した手すりはあったが、分解組み立てが必要であったり、両側の手すり支柱を持って伸びが均等になるようにバランスをとりながら行うわないと伸縮できないものであった。傾斜支柱側の伸縮とハンドル軸側の長さを伸縮できる構造だけではハンドルを持って傾斜支柱を一挙に伸縮することはできなかった。本発明は角パイプ等の簡易な構造材料を組み合わせて伸縮手すりを構成し、ハンドルを持っての操作で傾斜支柱に収納された手すりを一挙に伸縮できるようにしたものである。
【課題を解決するための手段】
【０００５】
高くなるほど狭くなる傾斜した脚立脚を有する脚立において、脚立脚に沿って固定取付された傾斜支柱支持枠内を上下動する手すり部材を備え、該手すり部材は該傾斜支柱支持枠内を上下動する傾斜支柱と該傾斜支柱上端部を連結するハンドル部とから構成されており、該ハンドル部は傾斜支柱上端に接続されるハンドル支柱と両端から延びたハンドル支柱を浮動ハンドルを挿入して繋いだ構造を有しており、前記手すり部の上下動に伴って傾斜支柱の上端間距離が変わることに対して、前記ハンドル部は間隔を伸縮する機構が設けられるとともに、手すり部材の傾斜支柱はその水平面との成す傾斜角度と傾斜支柱とハンドル支柱の成す角度が捕角の関係となるよう角度固定金具で固定した脚立用伸縮手すり。これまでの構造で、浮動ハンドルを上下に動かせば手すり部材を構成する傾斜支柱の２軸も同時に動くのであるが、従来方式で動かなったのがここでは動く違いを説明する。図３に傾斜軸と傾斜角度を示している。数学用語であるが∠Aと∠Bは捕角の関係になっている。すなわち∠A+∠B＝２直角、∠C＋∠D＝２直角となる関係が成り立ってないと動かない。角度固定金具が機能してないと滑らかなスライドができない。角度を優先して固定すれば、直線部の伸縮は釣り合いがとれるように動く。これで浮動ハンドル１点に力を加えれば、手すりを伸縮できることになる。本発明図面では左右の傾斜角は同じとしており等辺としているが、左右の捕角の関係は左の軸と右の軸でそれぞれに成り立っていれば良いので左右の傾斜角度を変えて不等辺の形状も可能である。
【０００６】
前記ハンドル伸縮機構において、前記手すり部材の上下動により距離が変動する左右のハンドル支柱間に挿入された浮動ハンドルにおいて、浮動ハンドル内側中央にセンターピンを設け、バネの一端をこれに掛けて他端を左側ハンドル支柱に掛け、同様にもう一つのバネを浮動ハンドル内側中央から右側ハンドル支柱に掛けることにより、左右のハンドル支柱を左右均等な力で引くことにより、該浮動ハンドルが左右ハンドル支柱の中央に位置する特徴を備えた脚立用手すり。前項では浮動ハンドルを中空のまま使用したが、これでは左右の隙間に応じて左右に揺れ動く。片側の支柱に固定できれば揺れ動かないが、ハンドル支柱との重ね代が取れないのでハンドルが短い場合等の状況により使える状況に制約がある。このため、バネを利用して浮動ハンドルが中央に位置するようにした。ただし、浮動ハンドルに横向きの力が加われば横にずれることはあるので、支障ない範囲での活用とします。
【０００７】
前記ハンドル伸縮機構において、前記手すり部材の上下動により距離が変動する左右のハンドル支柱間に挿入された浮動ハンドルであって、浮動ハンドル内側にスペーサーを介して固定されその上に伸びた支持金具の両端に固定した滑車を設けてワイヤーを一周の長円にして掛ける。この長円状ワイヤーの対角線上にある２点を選び、その１点に左からのハンドル支柱を連結し、他の１点に右からのハンドル支柱を連結する。支柱間距離が伸縮した時、ワイヤー動作の制約を受けて基準点からの変位量が左右同じ長さになるように動くため、浮動ハンドルが常に中央に位置するようにしたことを特徴とする脚立用手すり。
【０００８】
脚立の手すりとして使用するときは、格納位置から浮動ハンドルを持って上に引き上げて、所定位置になったら固定ピン６で傾斜支柱を係止めすることで手すりがセットできる。格納は固定ピン６を抜いて浮動ハンドルを押し下げれば良い。
【発明の効果】
【０００９】
上述したように手すり部材を構成する傾斜支柱の２軸をハンドルでワンタッチ伸縮できるので、脚立に取り付けて簡便で場所を取らない収納式手すりとして利用できる。高精度な嵌めあい等を必要とせず、汎用の角パイプ等を構造部材として利用できるので経済的に制作できる。
【図面の簡単な説明】
【００１０】
【図１】本発明の斜視図
【図２】手すりの格納状態図
【図３】傾斜軸の角度関係を示す図
【図４】中空式ハンドルユニット図及びバネ式ハンドルユニット図
【図５】センタリングハンドルユニット図
【図６】センタリングハンドルユニット機構説明図
【発明を実施するための形態】
【００１１】
高くなるほど狭くなる脚立の傾斜した脚立脚５に沿って傾斜支柱支持枠４を両サイドに接合固定する。この傾斜支柱支持枠に手すりの傾斜支柱３を差し込んでこの中をスライドできるようにする。これにより傾斜支柱の角度は脚立脚の傾斜角度に一致する。傾斜支柱３の上端には角度固定金具７を介して水平方向にハンドル支柱２が連結されている。組み立てた状態では左右のハンドル支柱をつなぎ渡すように浮動ハンドル１がはめ込まれる。浮動ハンドルは単なる中空の角パイプの形状のものが使われている。中空の浮動ハンドル１とハンドル支柱２、角度固定金具７までを一体として中空ハンドルユニット１０と呼ぶことにする。傾斜支柱３がスライドして上がると支柱間距離が短くなりこれに応じて左右のハンドル支柱間距離が近くなるため中空ハンドルユニットがこれを補償するように伸縮するようになっている。これまでの構造で、浮動ハンドルを上下に動かせば傾斜支柱の２軸も同時に動くのであるが、角度固定金具７の働きについて説明する。図３に傾斜支柱軸と傾斜角度を示している。数学用語であるが∠Aと∠Bは捕角の関係になっている。すなわち∠A+∠B＝２直角、∠C＋∠D＝２直角となる関係が成り立ってないと動かない。角度固定金具７が機能してないと滑らかなスライドができない。角度を優先して固定すれば、直線部の伸縮は釣り合いがとれるように動く。これで浮動ハンドル１点に力を加えれば、手すりを伸縮できることになる。本発明図面では左右の傾斜角は同じとしており等辺としているが、左右の捕角の関係は左の軸と右の軸でそれぞれに成り立っていれば良いので左右の傾斜角度を変えて不等辺の形状も可能である。
【００１２】
図４に中空ハンドルユニット１０及びバネ式ハンドルユニット２０を示します。前項では浮動ハンドル1を中空のまま使用したが、これでは左右の隙間に応じて左右に揺れ動く。片側の傾斜支柱に固定できれば揺れ動かないが、ハンドル支柱と浮動ハンドルの重ね代が取れないのでハンドルが短い場合等の状況により使える状況に制約がある。このため、浮動ハンドルの簡易なセンタリング方式としてバネ８を使用したバネ式ハンドルユニット２０を提供します。浮動ハンドルの中央に設置してあるセンターピン１７と両サイドのハンドル支柱2に取り付けられたハンドル支柱ピン１８をバネで繋いでセンタリングさせるものです。これにより浮動ハンドルは中央に位置することになり、ハンドル支柱と浮動ハンドルの重ね代に余裕が生じます。ただし、浮動ハンドルに横向きの力が加われば横にずれることはあるので、支障ない範囲での活用とします。
【００１３】
図５にセンタリングハンドルユニット３０を示します。伸縮ハンドルユニットにおいて、浮動ハンドルを中央に位置するようにワイヤー式のセンタリング方式を使っています。図６に部品を組み合わせた時の動作が見えやすいように水平断面図とワイヤー固定具16の接続状態拡大図を示します。浮動ハンドルの中央にスペーサー13を介して支持金具14を設け、その両端に滑車12を配します。滑車にはワイヤー15を一周を輪にして掛けます。この長円の対角線上の２点を選び、一点に左からのハンドル支柱を、他の１点に右からのハンドル支柱を接続金具16を介して連結します。ここではスペーサー13と支持金具14、滑車12、ワイヤー15までを一体でセンタリングユニット11と呼びます。浮動ハンドルとセンタリングユニット11は中央で接続されていますので一体で動きます。両サイドのハンドル支柱２と接続金具16は接続されているので一体で動きます。これらがワイヤーの長円の対角位置で連結されており、ワイヤーはハンドル支柱間距離が変われば回転はしますが、長円軌道上を動くため、中心点から接続点までのワイヤー長さが左右同じになるため、センタリング機構が働き、浮動ハンドルは図３に示す傾斜支柱のX軸とY軸の中央のZ軸上を動くようになります。
【産業上の利用可能性】
【００１４】
上述したように傾斜支柱の２軸をハンドルでワンタッチ伸縮できるので、脚立に取り付けて簡便で場所を取らない収納式手すりとして利用できる。また、キャリーバッグの伸縮ハンドルとしても利用できる。複数連結すれば、立体的な構造にすることもできるのでテントの高さ調整に利用したりもでき、多方面の伸縮用途のものに利用可能です。
【符号の説明】
【００１５】
1  浮動ハンドル
2  ハンドル支柱
3  傾斜支柱
4  傾斜支柱支持枠
5  脚立脚
6  固定ピン
7  角度固定金具
8  バネ
10  中空ハンドルユニット
11  センタリングユニット
12  滑車
13  スペーサー
14  支持金具
15  ワイヤー
16  ワイヤー固定具
17  センターピン
18  ハンドル支柱ピン
２０  バネ式ハンドルユニット
３０  センタリングハンドルユニット
【図１】
2019090200.tif 000003
【図２】
2019090200.tif 000004
【図３】
2019090200.tif 000005
【図４】
2019090200.tif 000006
【図５】
2019090200.tif 000007
【図６】
2019090200.tif 000008